(57)【要約】【課題】  加熱炉のスペースを設けることなく、またレールやベルトコンベアを敷設することなく、コストを安く、しかも遠赤外線の放射量を多くするようにした暖房設備用熱源供給装置を提供することを目的とする。【解決手段】  熱源供給装置本体１０の内部にカーボンヒーター５と麦飯石等の鉱石１２を多数収納し、該熱源供給装置本体１０の周囲に安全カバー６を設ける。前記熱源供給装置本体１０と前記安全カバー６を夫々独立して上下動するように構成し、前記熱源供給装置本体が密閉または開放自在となるように構成した。【選択図】図１
2010008032.tif 000002
【特許請求の範囲】
【請求項１】
複数のカーボンヒーターを並設した枠体を第１の保護柵で包囲し、前記第１の保護柵の側面周囲を所定の間隔をもって第２の保護柵で囲い、前記第１及び第２の保護柵で形成される空間内に麦飯石等の鉱石を多数収納して熱源供給装置本体を構成し、前記熱源供給装置本体の周囲に安全カバーを設けるとともに上面に反射板を取り付けたことを特徴とする、サウナ用熱源供給装置。
【請求項２】
請求項１に記載するサウナ用熱源供給装置において、前記熱源供給装置本体と前記安全カバーが夫々独立して上下動するように構成し、前記熱源供給装置本体が密閉または開放自在となっていることを特徴とする、サウナ用熱源供給装置。
【請求項３】
請求項１又は請求項２に記載するサウナ用熱源供給装置において、前記反射板を略逆への字状に折り曲げて形成し、前記第１の保護柵より所定の間隔をもって取り付けたことを特徴とする、サウナ用熱源供給装置。
【発明の詳細な説明】
【技術分野】
【０００１】  この発明は、麦飯石等の鉱石を熱源とする暖房設備用熱源供給装置に関する。
【背景技術】
【０００２】  健康ランド等の暖房付きリラクゼーションルームやサウナ施設では、暖房設備の一種に炉内で加熱した鉱石を室内に移動して暖めるプル釜装置がある。即ち、図１０に示すように麦飯石等の鉱石ａを３ｍ×１ｍ×１ｍ程度の直方体状のトロッコｂに積み上げ、レールやベルトコンベアｄに載せてリラクゼーションルームｅとは別に設けた加熱炉ｃへ移動し、７００℃〜８００℃まで加熱し、灼熱状態になると再び室内ｅへ出てくる。利用者はその周りに集まって熱せられた麦飯石等の鉱石ａから放射される遠赤外線を浴びることができ、血流を促進させ、新陳代謝を活発にし、疲労回復・美肌効果があるものである。
【発明の開示】
【発明が解決しようとする課題】
【０００３】  しかしながら、従来のプル釜装置は、トロッコｂに積み上げた麦飯石等の鉱石ａを加熱炉ｃで加熱させるため、加熱炉ｃのスペースを別途必要とするほか、移動させるためのレールやベルトコンベアｄを敷設する必要があった。また所定時間経過したらトロッコｂを加熱炉ｃに戻し、再加熱して室内ｅに戻すようにしている。このため利用者が常時使用するためには、二つの加熱炉ｃと２台のトロッコｂを用いて交互に加熱する必要がある。このように施設にレールやベルトコンベアｄを敷設し、トロッコｂを移動して交互に加熱するためコスト高となっていた。また熱せられた麦飯石等の鉱石ａも放熱によって急激に温度が下がるので、遠赤外線の放射量も少なくなる。【０００４】  本発明は、上記課題に鑑みてなされたものであって、その目的は、加熱炉のスペースを設けることなく、またレールやベルトコンベアを敷設することなく、コストを安く、しかも遠赤外線の放射量を多くするようにした暖房設備用熱源供給装置を提供することにある。
【課題を解決するための手段】
【０００５】  上記のような目的を達成するために、本発明の暖房設備用熱源供給装置は、複数のカーボンヒーターを並設した枠体を第１の保護柵で包囲し、前記第１の保護柵の側面周囲を所定の間隔をもって第２の保護柵で囲い、前記第１及び第２の保護柵で形成される空間内に麦飯石等の鉱石を多数収納して熱源供給装置本体を構成し、前記熱源供給装置本体の周囲に安全カバーを設けるとともに上面に反射板を取り付けたことを特徴とするものである。【０００６】  また本発明の暖房設備用熱源供給装置は、前記熱源供給装置本体と前記安全カバーが夫々独立して上下動するように構成し、前記熱源供給装置本体が密閉または開放自在となっていることを特徴とするものである。【０００７】  また本発明の暖房設備用熱源供給装置は、前記反射板を略逆への字状に折り曲げて形成し、前記第１の保護柵より所定の間隔をもって取り付けたことを特徴とするものである。
【発明の効果】
【０００８】  上記構成の本発明によれば、以下の効果がある。
＜イ＞熱源供給装置本体の内部に麦飯石等の鉱石を多数収納するとともにカーボンヒーターを内蔵したので、加熱炉を不要とし、したがって加熱炉のスペースが不要となるほか、レール等の設備も不要となり、コストの安い暖房設備用熱源供給装置を提供することができる。
＜ロ＞熱源供給装置本体を密閉あるいは開放することができるので、密閉したときは短時間で加熱でき、開放したときは効率よく遠赤外線を放射することができる。
＜ハ＞また略逆への字状の反射板により上方へ放射された遠赤外線を反射させ、より多くの遠赤外線を放射することができる。
＜ニ＞内蔵したカーボンヒーターからも遠赤外線が放射されるので、遠赤外線の放射量をより多くした暖房設備用熱源供給装置を提供することができる。
【発明を実施するための最良の形態】
【０００９】  以下、図面を参照しながら、本発明に係る実施の形態について説明する。【００１０】＜イ＞熱源供給装置（図１、図２）
熱源供給装置１は、カーボンヒーター５、麦飯石等の鉱石１２、これらを収納した本体１０、本体１０を載置する基台１１とからなる。本体１０には、下方周囲から立ち上がる保護柵３が設けられ、保護柵３内に前記したカーボンヒーター５と麦飯石等の鉱石１２が収納されている。保護柵３は、第１の保護柵３０（内側）と第２の保護柵３１（外側）とがあり、第１の保護柵３０は側面と上面３２で構成され、第２の保護柵３１は側面のみで構成されている。第１の保護柵３０内に複数のカーボンヒーター５が、後述するように枠体８（図６）に並設されている。第１の保護柵３０と第２の保護柵３１との間に形成される空間３３、及び第１の保護柵３０の上面３２に、麦飯石等の鉱石１２が多数収納されている。
第１及び第２の保護柵３０，３１は、麦飯石等の鉱石１２が本体１０外へ転がり落ちないように保持し、またカーボンヒーター５が破損したりしないようにこれを保護するためのものである。なお、保護柵３は、スチール棒や孔明き鋼板等を用いることができる。本体１０の大きさは適宜で良いが、本実施例では長さ３４００ミリメートル×奥行き１０００ミリメートル×高さ１０００ミリメートルとなっている。【００１１】＜ロ＞本体上下装置（図３、図４）
前記した本体１０は、本体上下装置２により基台１１に対して上下動自在となっている。本体上下装置２は、例えば図３の概略図で示すような油圧リフター（油圧シリンダ２０と、これによって作動するリンク装置２１）が考えられる。リンク装置２１は、支軸２５を中心に搖動するレバー２２と、これとＸ状に交差するレバー２３とで構成される。２４は交差軸である。レバー２２の先端にはローラー９３が取り付けられ、レバー２３の先端にはローラー９２が取り付けられ、これらローラー９２，９３は、本体１０のガイド溝１０ａに嵌入している。またレバー２３の他端に取り付けられたローラー９１は、基台１１のガイド溝１１ａに嵌入している。【００１２】  油圧シリンダ２０がローラー９１の支軸９４に枢着され、ロッド２６がレバー２２の軸２７に連結している。油圧シリンダ２０には、３位置切換弁２８が接続され（図４）、切換弁２８を図において右側へ切り替えると、ロッド２６を前進させる方向へ油圧が作用し、左側へ切り替えると、ロッド２６を後退させる方向へ作用する。このため、切換弁２８を右側へ切り替えると、レバー２２は矢印ａ（図３）のごとく時計方向へ回動する。レバー２２の回動に応じてレバー２３は、ローラー９１がガイド溝１１ａに沿って移動しながら矢印ｂのごとく反時計方向へ回動する。レバー２２，２３の回動により先端のローラー９３，９２が上方へ移動し、ガイド溝１０ａを介して本体１０は、図３の２点鎖線で示すように上昇する。切換弁２８を左側へ切り替えると、前記と逆に本体１０は下降する。切換弁２８を図の中央位置へ切り替えると、本体１０を任意の位置で停止させることができる。なお、本体１０の上昇のみを油圧シリンダ２０で行い、下降は本体１０の自重で行うようにしてもよい。【００１３】  本体上下装置２は、油圧リフタ−に限らず、例えば本体１０にラックを取り付け、このラックにピニオンを噛み合わせて本体１０を上下動させる装置など各種の装置を用いることができる。【００１４】＜ハ＞反射板（図１、図２）
本体１０の上面に略逆への字状に折り曲げた反射板４が、支柱４０で取り付けられている。反射板４を略逆への字状に折り曲げることによって、上方へ向かう放射熱が反射されて室内１４へ効率よく放射される。【００１５】＜ニ＞安全カバー（図１、図２）
本体１０の外側周囲に安全カバー６を設けてある。安全カバー６は本体１０を密閉したり、開放したりするためのもので、内外二重に構成されている。内側の安全カバー６０は、安全カバー上下装置７により外側の安全カバー６１に対して上下にスライドするようになっている。１３は、安全カバー６の周りに設けた保護ネットである。【００１６】＜ホ＞安全カバー上下装置（図５）
安全カバー上下装置７は、モーター７０とこれによって作動するリンク装置７１からなる。モーター７０の回転がベルトやスプロケットチェーンによって連結軸７２に伝わり、さらに傘歯車等によって左右のネジ軸７３が夫々回転する。ネジ軸７３にはナット７４が螺合しており、ネジ軸７３の回転によりナット７４が前進または後退する。ナット７４にはレバー７５ａの一端が連結しているため、ナット７４が前進した場合はレバー７５ａは倒れ（図５（Ｂ）の２点鎖線）、ナット７４が後退した場合はレバー７５ａは立ち上がる（図５（Ｂ）の実線）。レバー７５ａとレバー７５ｂとは、その中央を支軸７６で交差してリンク機構７１を構成しているので、レバー７５ａが倒れるとレバー７５ｂも倒れ、レバー７５ａが立ち上がるとレバー７５ｂも立ち上がる。レバー７５ａ，７５ｂの他端に設けたローラー７７ａ，７７ｂが、安全カバー６０に突出して設けたガイド溝６０ａに嵌入している。このため、レバー７５ａ，７５ｂが倒れると安全カバー６０は下降し、レバー７５ａ，７５ｂが立ち上がると安全カバー６０は上昇する。なお、前記した本体１０が上昇したときは安全カバー６０が下降し、本体１０が下降したときは安全カバー６０が上昇するようになっている。本体１０が下降し、安全カバー６０が上昇すると、安全カバー６０と反射板４とで本体１０を密閉状態とすることができる（図８（Ａ））。逆の場合は開放状態とすることができる（図８（Ｂ））。【００１７】＜ヘ＞カーボンヒーター（図２、図６、図７）
第１の保護柵３０内には、図６に示すような直方体状の枠体８の周面（底面を除く５面）に多数のカーボンヒーター５が取付けネジ等（図示せず）によって固定されている。カーボンヒーター５の熱が麦飯石等の鉱石１２へ均等に伝わるように、これら多数のカーボンヒーター５は、互いに平行に所定の間隔をもって固定されている。図６に一部拡大して示すようにカーボンヒーター５の枠体８側半周に金粉等を塗布して遮熱部５４を形成し、カーボンヒーター５の熱を、効率よく麦飯石等の鉱石１２に伝達するようにしている。あるいはカーボンヒーター５と枠体８との間に、湾曲した反射板を設けてもよい。【００１８】  カーボンヒーター５の一例を図７に示す。カーボンヒーター５は、コイル状のカーボンコイル体（発熱体）５０と、これを封入する石英ガラス管５１からなる。カーボンコイル体５０は、例えばポリアクリロニトリルを原料とするＰＡＮ系炭素繊維素線を多数束ねて炭素繊維糸とし、この炭素繊維糸を複数本撚り合わせた後、これをコイル状に巻き上げて構成する。カーボンコイル体５０の両端に端子５２，５２を設け、石英ガラス管５１に挿入し、端子５２，５２の箇所で石英ガラス管５１を封止してカーボンヒーター５が構成される。リード線５３，５３に導通することでカーボンコイル体５０が発熱する。リード線５３を制御盤（図示せず）に接続し、カーボンヒーター５をコントロールするようになっている。【００１９】＜ト＞リラクゼーションルーム（図９）
本発明の熱源供給装置１を設置したリラクゼーションルームや、サウナ施設を図９に示す。室内１４の中央等適当な場所に熱源供給装置１を設置することができ、従来のように加熱炉を別途設けたり、レールやコンベアを敷設する必要がない。【００２０】＜チ＞作用【００２１】  次に、本発明の熱源供給装置１を使用する場合について説明する。
先ず、切換弁２８を図４の状態から左側へ切り替えて、ロッド２６が後退するように油圧シリンダ２０を作動して本体１０を下降する。また同時にモーター７０を駆動して内側の安全カバー６０を上昇する。本体１０が下降し、安全カバー６０が上昇することで図８（Ａ）に示すように、安全カバー６と反射板４とで熱源供給装置１を密閉状態にする。この状態で電源を入れてカーボンヒーター５に通電し、麦飯石等の鉱石１２を加熱していく。密閉しているため、短時間で麦飯石等の鉱石１２を加熱することができる。【００２２】  内部が７００℃〜８００℃程度になるまで所定時間加熱し、麦飯石等の鉱石１２が灼熱状態になったら、前記と逆に切換弁２８を右側へ切り替えて、ロッド２６が前進するように油圧シリンダ２０を作動して本体１０を上昇し、同時にモーター７０を逆方向へ駆動して安全カバー６０を下降し、図８（Ｂ）に示すように熱源供給装置１を開放状態にする。このため、灼熱した麦飯石等の鉱石１２が露出し、麦飯石等の鉱石１２より遠赤外線が矢印ｃのごとく放射される。また運転しているカーボンヒーター５からも遠赤外線が放射される。さらに上面の反射板４が略逆への字状に形成されていることで、熱源供給装置１上面に収納されている麦飯石等の鉱石１２からの遠赤外線が矢印ｄのように反射されてより一層遠赤外線が放射される。【００２３】  このように本発明の熱源供給装置１は、本体１０と安全カバー６０が協動することで密閉状態あるいは開放状態とすることができ、密閉しているときは、短時間で麦飯石等の鉱石１２を加熱し、開放されたときは、遠赤外線が効率よく放射される。カーボンヒーター５の設定温度を調節することで、麦飯石等の鉱石１２からは常時遠赤外線が放射され、これまでのように麦飯石等の鉱石１２の放熱による急激な温度低下で、遠赤外線の放射量が少なくなるなどの問題はない。
【図面の簡単な説明】
【００２４】
【図１】熱源供給装置を示す概略斜視図。
【図２】一部を断面した熱源供給装置の正面図。
【図３】本体上下装置を示す概略図。
【図４】油圧シリンダの回路図。
【図５】安全カバー上下装置を示す概略図で、（Ａ）は平面図で、（Ｂ）は側面図。
【図６】カーボンヒーターの設置状態を示す概略斜視図。
【図７】カーボンヒーターの一例を示す概略図
【図８】熱源供給装置の動作を示す図で、（Ａ）は密閉状態を示し、（Ｂ）は開放状態を示す。
【図９】本発明の熱源供給装置を設置したリラクゼーションルームを示す概略平面図。
【図１０】従来のリラクゼーションルームを示す概略図。
【符号の説明】
【００２５】１・・・・熱源供給装置
１０・・・本体
１１・・・基台
１２・・・麦飯石等の鉱石
２・・・・本体上下装置
２０・・・油圧シリンダ
２１・・・リンク装置
３・・・・保護柵
３３・・・空間
４・・・・反射板
５・・・・カーボンヒーター
５０・・・カーボンコイル体
５１・・・石英ガラス管
６・・・・安全カバー
７・・・・安全カバー上下装置
７０・・・モーター
７１・・・リンク装置
８・・・・枠体
【図１】
2010008032.tif 000003
【図２】
2010008032.tif 000004
【図３】
2010008032.tif 000005
【図４】
2010008032.tif 000006
【図５】
2010008032.tif 000007
【図６】
2010008032.tif 000008
【図７】
2010008032.tif 000009
【図８】
2010008032.tif 000010
【図９】
2010008032.tif 000011
【図１０】
2010008032.tif 000012